(57)【特許請求の範囲】
【請求項１】
左右一対の縦部材が横部材の両端に略Ｈ字状になるように連結され、かつ縦部材の両端にパネル支持部材を取り付け可能に構成されてなる継手構造体において、縦部材が横部材に対して縦部材の長寸方向に移動可能かつ横部材に対して回動可能に連結されてなるとともに、支杆部が横部材の中央部に固設されかつ横部材が躯体に対して動かないように固定されてなることを特徴とする継手構造体。
【請求項２】
縦部材の中央部には縦長孔が明けられ、横部材の両端部には円形又は長円形の挿通孔が明けられていて、かつ、ピンの軸部が縦長孔と挿通孔とに軸通されて横部材と縦部材とが連結されてなる請求項１に記載の継手構造体。
【請求項３】
縦部材の両端に孔が明けられていて、パネル支持部材の雄ネジ部がこれらの孔にそれぞれ軸通されることにより縦部材の両端にパネル支持部材を取り付け可能に構成されてなる請求項１又は２に記載の継手構造体。
【請求項４】
縦部材の両端に明けられた孔は、縦部材の上端側が円孔で、縦部材の下端側が半円孔であり、該半円孔は該孔の下側に平板部を有するように平面形状が略半円状の孔である請求項３に記載の継手構造体。
【請求項５】
複数枚のパネル材を略面一に配置してなるパネル支持構造であって、４枚のパネル材の突き合わせ部となる隅部に取付孔を各々設け、これら取付孔にパネル支持部材を各々取り付け、これらパネル支持部材を請求項１、２、３又は４に記載の継手構造体に取り付けてなるパネル支持構造。
【発明の詳細な説明】
【０００１】
【発明の属する技術分野】
本発明は、建築物、構築物における継手構造体と該構造体を用いたパネル支持構造に関する。
【０００２】
【従来の技術】
強化ガラスや倍強度ガラスなどのパネル材を用いて建築物の壁面を構成する試みが近年多くなされている。パネル材の４隅を孔加工し、ボルト状部品などのパネル支持部材をこれらの孔に各々固定し、これらパネル支持部材をＨ型継手構造体又はＸ型継手構造体で支持する方法は、壁面の美観を向上させる方法であり、特にパネル材として板ガラスを用いる場合は、その透明性をも最大限に生かすためにより有効な方法である。
【０００３】
図７、８に示すように、従来のＨ型継手構造体７を用いたパネル支持構造においては、略面一に配置された複数枚の板ガラス１ａ、１ｂ及び不図示の板ガラス１ｃ、１ｄの突き合わせ部となる隅部には取付孔２が明けられていて、それらの孔にパネル支持部材３ａ、３ｂ及び不図示のパネル支持部材３ｃ、３ｄが取り付けられていて、これらパネル支持部材はＨ型継手構造体７に取り付けられている。Ｈ型継手構造体７は、躯体６に固設されたベース部材３９にジョイント３３を用いて連結されている。
【０００４】
縦部材３２、３２が横部材３１の両端に略Ｈ字状に、しかも縦部材３２と横部材３１とはピン３４によって回動可能に連結されている。横部材３１の中央には支杆部材３６がピン３５によって回動可能に連結されている。以上述べたように、Ｈ型継手構造体７は部品点数がきわめて多かった。
【０００５】
かかるＨ型継手構造体７を用いたパネル支持構造は、ピン３４、３４、３５を用いてジョイントされているため、図６に示すように地震による層間変位を受けた場合に、横部材及び縦部材がともに自由に回動でき、層間変位追従性が良く、地震が生じても板ガラスに無理な力が加わらないので、地震のスウェイ成分及びロッキング成分に対してパネル材が充分に耐えることができ、該パネル支持構造は耐震性を有している。
【０００６】
パネル支持部材を取り付けるために縦部材の両端に設けられた円孔３７はさほど大きくなくパネル支持構造の意匠性を悪くすることはないが、横部材３１と縦部材３２とがピン３４、３４を用いて、そして横部材３１と支杆部材３６とがピン３５を用いて、それぞれジョイントされていて、横部材３１と縦部材３２が自由に回動するため、躯体６にベース部材３９を介して取り付けられたＨ型継手構造体７に、板ガラス１ｂを取り付けたパネル支持部材３ｂを取り付ける作業はきわめて施工性が悪く、直接躯体に固定することは実際上困難であった。
【０００７】
図９、１０に示すように、従来のＸ型継手構造体８においては、連結部４６を中心として４本の支腕部４１ａ、４１ｂ、４１ｃ、４１ｄが放射状に延設され、これら支腕部の先端には三角孔４７を有する部材保持部４２が設けられている。Ｘ型継手構造体８は躯体６に固設されたベース部材４９に取り付けられている。
【０００８】
略面一に配置された複数枚の板ガラスに前述同様にパネル支持部材が取り付けられていて、これらパネル支持部材はＸ型継手構造体８に取り付けられている。パネル支持部材３ａの雄ネジ部が三角孔４７に遊びをもった状態で軸通されて、パネル支持部材はＸ型継手構造体８に取り付けられていて、パネル支持部材３ａの雄ネジ部がこの三角孔４７の内部を移動可能なので、地震の際の層間変位に追従性を有する。このように、壁面をなす板ガラスに無理な力が加わらないようになっているので、Ｘ型継手構造体８を用いたパネル支持構造は耐震性を有する。
【０００９】
Ｘ型継手構造体８に板ガラスを取り付ける方法は、その作業の施工性はよいが、部材保持部４２が大きいために外部から見えてしまい意匠性が悪い。
【００１０】
【発明が解決しようとする課題】
本発明は、Ｈ型継手構造体の有する施工性が良くないという課題、及び、Ｘ型継手構造体の有する意匠性が良くないという課題を解決すべくなされたものであり、施工性・耐震性及び意匠性に優れたパネル支持構造と、該構造に用いられる継手構造体の提供を目的とする。
【００１１】
【課題を解決するための手段】
本発明は、左右一対の縦部材が横部材の両端に略Ｈ字状になるように連結され、かつ縦部材の両端にパネル支持部材を取り付け可能に構成されてなる継手構造体において、縦部材が横部材に対して縦部材の長寸方向に移動可能かつ横部材に対して回動可能に連結されてなるとともに、支杆部が横部材の中央部に固設されかつ横部材が躯体に対して動かないように固定されてなることを特徴とする継手構造体を提供する。
【００１２】
本発明は、複数枚のパネル材を略面一に配置してなるパネル支持構造であって、４枚のパネル材の突き合わせ部となる隅部に取り付け孔を各々設け、これら取り付け孔にパネル支持部材を各々取り付け、これらパネル支持部材を前記継手構造体に取り付けてなるパネル支持構造をも提供する。
【００１３】
【発明の実施の形態】
パネル材としては強化ガラスや倍強度ガラスなどの板ガラス又は透明な樹脂製の板材などを、継手構造体としては鉄又はステンレス鋼などの金属材料を好適に使用できる。パネル材とパネル材との間には、シーリング材が施される。
【００１４】
縦部材の中央部には縦長孔が明けられ、横部材の両端部には円形又は長円形の挿通孔（それぞれ円孔、長円孔ともいう）が明けられていて、かつ、ピンの軸部が縦長孔と挿通孔とに軸通されて横部材と縦部材とが連結されていてもよい。縦部材の縦長孔は、縦部材の長寸方向に長い長円形の長孔となっているものである。横部材の長円形の挿通孔（長円孔）は、横部材の長寸方向又は短寸方向のいずれかの方向に長い長円形の長孔となっているものである。さらに、ピンの軸部が縦長孔と挿通孔とに軸通され軸部の両端が軸止めにより止められていてもよい。
【００１５】
縦部材の両端に孔が明けられていて、これらの孔にパネル支持部材の雄ネジ部（棒状部分なども含めて雄ネジ部と呼ぶことにする）を軸通することにより縦部材の両端にパネル支持部材を取り付け可能に構成されていてもよい。
【００１６】
さらに、縦部材の上端には円孔が明けられ、縦部材の下端には半円孔が明けられていて、該半円孔は該孔の下側に平板部を有するように平面形状が略半円状の孔となっていてもよい。
【００１７】
【実施例】
図１〜４により本発明の１実施例を説明する。板ガラス１ａ、１ｂ、１ｃ、１ｄの４隅には、外表面側に拡径斜面部を有するように、断面形状が杯状の取付孔２が穿設されていて、これら取付孔２にパネル支持部材３ａ、３ｂ、３ｃ、３ｄが装着されていて、さらに継手構造体４により躯体６に固設されたベース部材５に取り付けられている。
【００１８】
継手構造体４は、横部材１１の両端に左右一対の縦部材１２、１２がピン１４、１４により略Ｈ字状の平面形状をなすように連結されて構成されている。横部材１１の中央部には支杆部１６が一体的に固設されている。支杆部１６は筒状になっていて、その内側に雌ネジ２７が切ってあり、躯体６に固設されたベース部材５に継手構造体４がネジ止めされている。また、横部材１１は躯体６に対して動かないように固定されている。
【００１９】
横部材１１の両端には、縦部材１２を挟むようにして取り付けうるように取付溝２５、２５が設けてあり、これらの溝の溝壁には挿通孔である円孔２６、２６が貫通するようにして明けてある。
【００２０】
縦部材１２、１２の中央部には縦長孔１３、１３が明けられている。縦部材１２、１２は、横部材１１の取付溝２５に挟まれていて、前述のピン１４の軸部２１を円孔２６と縦長孔１３とに軸通し、軸部２１の両端を軸止め２２、２２により止めてある。このため、縦部材１２は横部材１１に対して（すなわち、躯体６に対して）回動可能で、かつ、縦長孔１３の余裕の分である所定量だけ縦部材の長寸方向（一般には、板ガラスの主表面を鉛直方向になるように配しているので、長寸方向は鉛直方向である。）に移動可能になっている。
【００２１】
継手構造体４をなす縦部材１２、１２の上端部には円孔１７、１７が設けられていて、板ガラス１ａ、１ｃに装着してなるパネル支持部材３ａ、３ｃの雄ネジ部１０ａ及び不図示の雄ネジ部１０ｃのそれぞれを円孔１７、１７のそれぞれに挿通して、板ガラス１ａ、１ｃを縦部材１２に取り付けてある。
【００２２】
継手構造体４をなす縦部材１２の下端部には半円孔１８、１８が設けられていて、板ガラス１ｂ、１ｄに装着してなるパネル支持部材３ｂ、３ｄの雄ネジ部１０ｂ及び不図示の雄ネジ部１０ｄのそれぞれを半円孔１８、１８のそれぞれに挿通して、板ガラス１ｃ、１ｄを縦部材１２に取り付けてある。
【００２３】
半円孔１８はその下側に平板部１９を有し、板ガラス１ｂ及びパネル支持部材３ｂの荷重は半円孔１８の平板部１９により支えられている。平板部１９とパネル支持部材３ｂの雄ネジ部１０ｂとの間にはスペーサを入れやすく、しかも入れたスペーサの位置が安定しやすいので、躯体６に対する板ガラス１ｂの位置を調整しやすい。板ガラス１ｄ及びパネル支持部材３ｄについても同様である。
【００２４】
このように複数枚の板ガラスが略面一に配置されて建築物の壁面が構成されている。板ガラス１ａと板ガラス１ｂとのなす境界部分にはシーリング材９が施工されている。
【００２５】
本発明はこのように構成されているので、図５に示すように地震による層間変位を受けた場合に、縦部材すなわち板ガラスが躯体６に対して回動可能で、かつ、縦長孔１３の余裕の分だけ縦部材の長寸方向に移動可能である。このため、シーリング材及び板ガラスに無理な力がさほど生じないので耐震性に優れる。
【００２６】
また、従来のＨ型継手構造体と異なって、本発明の継手構造体は横部材が動かないので、縦部材にパネル支持部材ごと強化ガラスなどのパネル材を取り付けるときの施工性がよい。
【００２７】
【発明の効果】
本発明によれば、施工性・耐震性及び意匠性に優れたパネル支持構造と、該構造に用いられる継手構造体を提供できる。
【００２８】
詳細を述べると、地震が生じても層間変位に対する追従性が良く、板ガラスに無理な力が加わらない。地震のスウェイ成分及びロッキング成分に対して板ガラスが破損することなく充分に耐えることができ、該パネル支持構造は耐震性を有する。目地部のシーリング材の変形量も小さいのでシーリング材が切れる心配も少ない。
【００２９】
Ｘ型継手構造体はパネル支持部材を保持する部材保持部が大きく意匠性が悪いが、本発明の継手構造体はパネル支持部材を保持する部分が小さいために意匠性がよい。
【００３０】
地震による層間変位を吸収するための縦長孔１３は、図３からわかるように、横部材１１に隠れているので意匠性がよい。
【図面の簡単な説明】
【図１】図２のパネル支持構造の要部側面図。
【図２】本発明のパネル支持構造の１実施例の要部正面図。
【図３】図２のパネル支持構造に用いた継手構造体の正面図。
【図４】図３の継手構造体の分解斜視図。
【図５】図２のパネル支持構造が層間変位を受けた場合の変化を示す説明図。
【図６】図７のパネル支持構造が層間変位を受けた場合の変化を示す説明図。
【図７】従来のＨ型継手構造体を用いたパネル支持構造の要部側面図。
【図８】図７のパネル支持構造に用いたＨ型継手構造体の正面図。
【図９】従来のＸ型継手構造体を用いたパネル支持構造の要部側面図。
【図１０】図９のパネル支持構造に用いたＸ型継手構造体の正面図。
【符号の説明】
１ａ、１ｂ、１ｃ、１ｄ：板ガラス
２：取付孔
３ａ、３ｂ：パネル支持部材
４：継手構造体
５：ベース部材
６：躯体
１１：横部材
１２：縦部材
１３：縦長孔
１４：ピン
１６：支杆部
１７：円孔
１８：半円孔
１９：平板部
２１：軸部
２２：軸止め
２５：取付溝
２６：円孔（挿通孔）
【図１】
0003601191.tif 000002
【図２】
0003601191.tif 000003
【図３】
0003601191.tif 000004
【図４】
0003601191.tif 000005
【図５】
0003601191.tif 000006
【図６】
0003601191.tif 000007
【図７】
0003601191.tif 000008
【図８】
0003601191.tif 000009
【図９】
0003601191.tif 000010
【図１０】
0003601191.tif 000011